(57)【特許請求の範囲】
【請求項１】
冷凍車両に搭載されている冷凍庫の前面上方部に架装されるとともに、電動圧縮機を駆動するインバータ装置、ＡＣ／ＤＣ変換装置のいずれかもしくは双方を含む電装品収納箱を備えた車両輸送用冷凍ユニットにおいて、
冷凍ユニット本体の前面に面して凝縮器が配置されるとともに、その下流側に凝縮器用ファンが配設され、該凝縮器用ファンからの吹出し風を前記冷凍ユニット本体の上面に導く風路が形成されており、
前記風路に面して前記冷凍ユニット本体の上面に、前記凝縮器用ファンからの吹出し風および車両走行風が流通するように外部に露出された放熱フィンを備えている前記電装品収納箱が配設されていることを特徴とする車両輸送用冷凍ユニット。
【請求項２】
前記電装品収納箱は、前記冷凍ユニット本体内の前記凝縮器および前記凝縮器用ファンの後方側に配設されている蒸発器ユニットの上方部位において、前記冷凍ユニット本体の上面に配設されていることを特徴とする請求項１に記載の車両輸送用冷凍ユニット。
【請求項３】
前記電装品収納箱は、前記放熱フィンがその上面から上向きに露出されるように前記冷凍ユニット本体の上面に設置されていることを特徴とする請求項１または２に記載の車両輸送用冷凍ユニット。
【請求項４】
前記電装品収納箱および前記放熱フィンは、前記冷凍ユニット本体の前面側に向って前記放熱フィンが前下がりとなるように傾斜配置されていることを特徴とする請求項３に記載の車両輸送用冷凍ユニット。
【請求項５】
前記電装品収納箱は、前記放熱フィンが前記冷凍ユニット本体の上面との間に下向きに露出されるように前記冷凍ユニット本体の上面に設置されていることを特徴とする請求項１または２に記載の車両輸送用冷凍ユニット。
【請求項６】
前記電装品収納箱および前記放熱フィンは、少なくとも前記放熱フィンの一部が前記風路を跨いでその上部を覆うように配設されていることを特徴とする請求項５に記載の車両輸送用冷凍ユニット。
【請求項７】
前記風路には、前記凝縮器用ファンからの吹出し風および／または車両走行風を前記電装品収納箱の前記放熱フィン方向に導く導風板が配設されていることを特徴とする請求項１ないし６のいずれかに記載の車両輸送用冷凍ユニット。
【請求項８】
前記導風板は、前記凝縮器用ファンのファンシュラウドの外周部から前記電装品収納箱の前記放熱フィン方向に指向されている第１の導風板を備えていることを特徴とする請求項７に記載の車両輸送用冷凍ユニット。
【請求項９】
前記第１の導風板には、その幅方向の両側部に、前記凝縮器用ファンからの吹出し風を前記電装品収納箱の前記放熱フィン方向に指向させる絞り部が設けられていることを特徴とする請求項８に記載の車両輸送用冷凍ユニット。
【請求項１０】
前記導風板は、前記電装品収納箱に設けられている前記放熱フィンの上方部位から略水平方向前方に延在されている第２の導風板を備えていることを特徴とする請求項７ないし９のいずれかに記載の車両輸送用冷凍ユニット。
【請求項１１】
前記導風板は、前記凝縮器用ファンのファンシュラウドの外周部から前記電装品収納箱の前記放熱フィン方向に指向されている第１の導風板と、前記電装品収納箱に設けられている前記放熱フィンの上方部位から略水平方向前方に延在されている第２の導風板とを備え、前記第１の導風板と前記第２の導風板とが、一体化された導風板とされていることを特徴とする請求項７に記載の車両輸送用冷凍ユニット。
【請求項１２】
前記第１の導風板と前記第２の導風板とが一体化された前記導風板には、前面に前方からの車両走行風を導入して前記放熱フィン方向に導く開口部が設けられていることを特徴とする請求項１１に記載の車両輸送用冷凍ユニット。
【発明の詳細な説明】
【技術分野】
【０００１】
本発明は、冷凍車両に搭載されて使用される一体型の車両輸送用冷凍ユニットに関するものである。
【背景技術】
【０００２】
電動圧縮機が搭載されている車両輸送用冷凍ユニットにおいては、走行用エンジンにより駆動される発電機で発電された電力もしくは商用電源からの電力を用いて電動圧縮機が駆動されるようになっているため、インバータ装置やＡＣ／ＤＣ変換装置（例えば、ダイオードを使った三相全波整流器）等を備えたコントローラが必要であり、それらを構成する電装品が収納される電装品収納箱が搭載されている。また、インバータ装置やＡＣ／ＤＣ変換装置は、発熱部品を有しているため、電装品収納箱には、放熱用のフィンが外部に露出された状態で一体的に設けられている。
【０００３】
上記の電装品収納箱は、車両のシャーシに直接取り付けられるか、もしくは特許文献１に示されるように、該シャーシに架装される冷凍ユニット本体内に設置されるのが一般的である。また、圧縮機を電動モータで駆動する方式の車両用空調装置において、インバータ装置を内蔵した制御ボックスの下面に放熱フィンを含むヒートシンクを設け、該放熱フィンを熱源側熱交換器用の送風ファンの吹出し風に晒されるように設置し、制御ボックス内に設けられる発熱部品を冷却するようにしたものが、特許文献２に示されている。
【０００４】
さらに、特許文献３には、蒸発器ユニットと凝縮器ユニットとを一体化した車両輸送用冷凍ユニットを冷凍庫の前面上方部に設置したものが開示されている。この冷凍ユニットでは、ユニットの前面側に凝縮器および凝縮器用ファンを配設するとともに、その後方側に庫内に面して蒸発器ユニットを配設し、凝縮器用ファンからの吹出し風を蒸発器ユニットの背面壁に沿って冷凍ユニットの上面側と下面側とに吹出すようにしている。
【先行技術文献】
【特許文献】
【０００５】
【特許文献１】特開２０１０−５４１０６号公報
【特許文献２】特許第３３５４５３９号公報
【特許文献３】特開２０００−２１３８４９号公報
【発明の概要】
【発明が解決しようとする課題】
【０００６】
しかしながら、一般に放熱フィン付きの電装品収納箱は、専用の冷却ファンを持っておらず、もっぱら自然対流による放熱に頼っていたため、放熱フィンが大型化される傾向にある。一方、特許文献１，２に示されるように、電装品収納箱またはその放熱フィンを凝縮器用ファンの通風路中に配置し、凝縮器用ファンからの吹出し風により電装品収納箱を強制冷却する技術が知られているが、これらは、車両のシャーシに架装されている。このため、路面からの照り返しや隣に停車した車両からの排熱による温度上昇の影響は避けられず、従って、所要の放熱性能（冷却性能）を確保するには、大型の放熱フィンを使用せざるを得なかった。
【０００７】
また、特許文献３には、蒸発器ユニットと凝縮器ユニットとを一体化した車両輸送用冷凍ユニットを冷凍庫の前面上方部に架装したものが開示されている。しかしながら、この冷凍ユニットには、電装品収納箱は示されておらず、発熱部品を内蔵している電装品収納箱の冷却性能を確保するため、冷凍庫の前面上方部に架装される冷凍ユニット本体に放熱フィン付きの電装品収納箱を設置しているものは見当たらなかった。
【０００８】
本発明は、このような事情に鑑みてなされたものであって、路面からの照り返しや隣の車からの排熱等の影響を排除し、ファンの吹出し風や車両走行風を利用して電装品収納箱を効率よく冷却できるようにして放熱フィンや冷凍ユニットの小型軽量化、低コスト化を図った車両輸送用冷凍ユニットを提供することを目的とする。
【課題を解決するための手段】
【０００９】
上記した課題を解決するために、本発明の車両輸送用冷凍ユニットは、以下の手段を採用する。
すなわち、本発明にかかる車両輸送用冷凍ユニットは、冷凍車両に搭載されている冷凍庫の前面上方部に架装されるとともに、電動圧縮機を駆動するインバータ装置、ＡＣ／ＤＣ変換装置のいずれかもしくは双方を含む電装品収納箱を備えた車両輸送用冷凍ユニットにおいて、冷凍ユニット本体の前面に面して凝縮器が配置されるとともに、その下流側に凝縮器用ファンが配設され、該凝縮器用ファンからの吹出し風を前記冷凍ユニット本体の上面に導く風路が形成されており、前記風路に面して前記冷凍ユニット本体の上面に、前記凝縮器用ファンからの吹出し風および車両走行風が流通するように外部に露出された放熱フィンを備えている前記電装品収納箱が配設されていることを特徴とする。
【００１０】
本発明によれば、冷凍庫の前面上方部に架装されるとともに、電動圧縮機を駆動するインバータ装置、ＡＣ／ＤＣ変換装置のいずれかもしくは双方を含む電装品収納箱を備えた車両輸送用冷凍ユニットにおける冷凍ユニット本体の前面に面して凝縮器が配置されるとともに、その下流側に凝縮器用ファンが配設され、該凝縮器用ファンからの吹出し風を冷凍ユニット本体の上面に導く風路が形成されており、該風路に面して冷凍ユニット本体の上面に、凝縮器用ファンからの吹出し風および車両走行風が流通するように外部に露出された放熱フィンを備えている電装品収納箱が配設されているため、電装品収納箱内に収納設置されている電動圧縮機を駆動するインバータ装置やＡＣ／ＤＣ変換装置等の発熱部品を、凝縮器用ファンからの吹出し風や車両走行風が導かれる風路に面するように露出されている放熱フィンを介して、凝縮器用ファンからの吹出し風や車両走行風によって強制冷却することができる。従って、冷凍車両が走行中または停車中に係わりなく、常に強制通風による電装品収納箱の高レベルの冷却効果を得ることができる。また、専用の冷却ファンを設ける必要がなく、しかも放熱フィンを小型化できることから、コストダウンやユニットの小型軽量化を図ることができる。更には、放熱フィンを備えた電装品収納箱が、冷凍庫の前面上方部に架装される冷凍ユニット本体の上面に配設されていることから、路面からの照り返しや隣に停車した車両からの排熱の影響を受けることがなく、強制冷却との相乗効果によって電装品収納箱の冷却性能を大幅に改善し、製品の信頼性を向上することができる。
【００１１】
また、本発明の車両輸送用冷凍ユニットは、上記の車両輸送用冷凍ユニットにおいて、前記電装品収納箱は、前記冷凍ユニット本体内の前記凝縮器および前記凝縮器用ファンの後方側に配設されている蒸発器ユニットの上方部位において、前記冷凍ユニット本体の上面に配設されていることを特徴とする。
【００１２】
本発明によれば、電装品収納箱が、冷凍ユニット本体内の凝縮器および凝縮器用ファンの後方側に配設されている蒸発器ユニットの上方部位において、冷凍ユニット本体の上面に配設されているため、凝縮器用ファンから吹出された吹出し風をそのまま風路を介して冷凍ユニット本体の上面側に導くことにより、該吹出し風を凝縮器用ファンの後方側に配設されている電装品収納箱の放熱フィンに直接流通させることができる。従って、凝縮器用ファンからの吹出し風により放熱フィンを介して効率よく電装品収納箱を冷却することができ、その冷却性能を大幅に向上することができる。
【００１３】
さらに、本発明の車両輸送用冷凍ユニットは、上述のいずれかの車両輸送用冷凍ユニットにおいて、前記電装品収納箱は、前記放熱フィンがその上面から上向きに露出されるように前記冷凍ユニット本体の上面に設置されていることを特徴とする。
【００１４】
本発明によれば、電装品収納箱が、放熱フィンがその上面から上向きに露出されるように冷凍ユニット本体の上面に設置されているため、冷凍車両が走行中には、放熱フィンに対して、凝縮器用ファンからの吹出し風のみならず、車両走行風が直接流通されるようになる。従って、電装品収納箱に対する冷却効果を一層向上させることができ、放熱フィンの更なる小型軽量化を図ることができる。
【００１５】
また、本発明の車両輸送用冷凍ユニットは、上記の車両輸送用冷凍ユニットにおいて、前記電装品収納箱および前記放熱フィンは、前記冷凍ユニット本体の前面側に向って前記放熱フィンが前下がりとなるように傾斜配置されていることを特徴とする。
【００１６】
本発明によれば、電装品収納箱および放熱フィンが、冷凍ユニット本体の前面側に向って放熱フィンが前下がりとなるように傾斜配置されているため、放熱フィン上に落ちる雨水やゴミ等を傾斜面に沿って速やかに排出することができる。従って、降雨時の排水性向上やゴミ等の堆積を防止して放熱性能を確保することができるとともに、車両走行時の走行風を整流し、空力性能を向上することによって車両の走行燃費の向上にも貢献することができる。
【００１７】
さらに、本発明の車両輸送用冷凍ユニットは、上述のいずれかの車両輸送用冷凍ユニットにおいて、前記電装品収納箱は、前記放熱フィンが前記冷凍ユニット本体の上面との間に下向きに露出されるように前記冷凍ユニット本体の上面に設置されていることを特徴とする。
【００１８】
本発明によれば、電装品収納箱が、放熱フィンが冷凍ユニット本体の上面との間に下向きに露出されるように冷凍ユニット本体の上面に設置されているため、冷凍車両が走行中には、放熱フィンに対して、凝縮器用ファンからの吹出し風のみならず、冷凍ユニット本体の上面と電装品収納箱との間を通過する車両走行風が直接流通されるようになる。従って、電装品収納箱に対する冷却効果を一層向上させることができ、放熱フィンの更なる小型軽量化を図ることができる。
【００１９】
また、本発明の車両輸送用冷凍ユニットは、上記の車両輸送用冷凍ユニットにおいて、前記電装品収納箱および前記放熱フィンは、少なくとも前記放熱フィンの一部が前記風路を跨いでその上部を覆うように配設されていることを特徴とする。
【００２０】
本発明によれば、電装品収納箱および放熱フィンの少なくとも一部が風路を跨いでその上部を覆うように配設されているため、凝縮器用ファンから吹出された吹出し風を直接放熱フィン間に取り込み、電装品収納箱を効率よく冷却することができる。従って、電装品収納箱の冷却性能を大幅に改善することができるとともに、放熱フィンの更なる小型軽量化を図ることができる。
【００２１】
さらに、本発明の車両輸送用冷凍ユニットは、上述のいずれかの車両輸送用冷凍ユニットにおいて、前記風路には、前記凝縮器用ファンからの吹出し風および／または車両走行風を前記電装品収納箱の前記放熱フィン方向に導く導風板が配設されていることを特徴とする。
【００２２】
本発明によれば、風路に、凝縮器用ファンからの吹出し風および／または車両走行風を電装品収納箱の放熱フィン方向に導く導風板が設けられているため、凝縮器用ファンからの吹出し風および／または車両走行風を、風路に配設されている導風板を介して効率的に電装品収納箱の放熱フィン方向に導風することができる。従って、凝縮器用ファンからの吹出し風および／または車両走行風を有効に利用して電装品収納箱を効率よく冷却することができ、電装品収納箱の冷却性能を大幅に改善することができる。
【００２３】
また、本発明の車両輸送用冷凍ユニットは、上記の車両輸送用冷凍ユニットにおいて、前記導風板は、前記凝縮器用ファンのファンシュラウドの外周部から前記電装品収納箱の前記放熱フィン方向に指向されている第１の導風板を備えていることを特徴とする。
【００２４】
本発明によれば、導風板が、凝縮器用ファンのファンシュラウドの外周部から電装品収納箱の放熱フィン方向に指向されている第１の導風板を備えているため、凝縮器用ファンから吹出された吹出し風を、第１の導風板を介して電装品収納箱の放熱フィン方向に効率的に導風することができる。従って、凝縮器用ファンからの吹出し風を有効に活用して電装品収納箱を効率よく冷却し、電装品収納箱の冷却性能を大幅に改善することができる。
【００２５】
また、本発明の車両輸送用冷凍ユニットは、上記の車両輸送用冷凍ユニットにおいて、前記第１の導風板には、その幅方向の両側部に、前記凝縮器用ファンからの吹出し風を前記電装品収納箱の前記放熱フィン方向に指向させる絞り部が設けられていることを特徴とする。
【００２６】
本発明によれば、第１の導風板の幅方向の両側部に、凝縮器用ファンからの吹出し風を電装品収納箱の放熱フィン方向に指向させる絞り部が設けられているため、凝縮器用ファンから吹出された吹出し風を、第１の導風板の幅方向の両側部に設けられている絞り部を介して電装品収納箱の放熱フィン方向に指向させ、効率的に導風することができる。従って、凝縮器用ファンからの吹出し風を有効に活用して電装品収納箱を効率よく冷却し、電装品収納箱の冷却性能を大幅に改善することができる。
【００２７】
さらに、本発明の車両輸送用冷凍ユニットは、上述のいずれかの車両輸送用冷凍ユニットにおいて、前記導風板は、前記電装品収納箱に設けられている前記放熱フィンの上方部位から略水平方向前方に延在されている第２の導風板を備えていることを特徴とする。
【００２８】
本発明によれば、導風板が、電装品収納箱に設けられている放熱フィンの上方部位から略水平方向前方に延在されている第２の導風板を備えているため、冷凍車両の走行時に発生する車両走行風を、第２の導風板を介して電装品収納箱の放熱フィン方向に効率的に導風することができる。従って、車両走行風を有効に活用して電装品収納箱を効率よく冷却し、電装品収納箱の冷却性能を大幅に改善することができる。
【００２９】
また、本発明の車両輸送用冷凍ユニットは、上記の車両輸送用冷凍ユニットにおいて、前記導風板は、前記凝縮器用ファンのファンシュラウドの外周部から前記電装品収納箱の前記放熱フィン方向に指向されている第１の導風板と、前記電装品収納箱に設けられている前記放熱フィンの上方部位から略水平方向前方に延在されている第２の導風板とを備え、前記第１の導風板と前記第２の導風板とが、一体化された導風板とされていることを特徴とする。
【００３０】
本発明によれば、導風板が、凝縮器用ファンのファンシュラウドの外周部から電装品収納箱の放熱フィン方向に指向されている第１の導風板と、電装品収納箱に設けられている放熱フィンの上方部位から略水平方向前方に延在されている第２の導風板とが、一体化された導風板とされているため、１枚の導風板を設置するだけで凝縮器用ファンからの吹出し風および車両走行風の双方を電装品収納箱の放熱フィン方向に効率的に導風することができる。従って、凝縮器用ファンからの吹出し風および／または車両走行風を有効に活用して電装品収納箱を効率よく冷却することができ、電装品収納箱の冷却性能を大幅に改善することができると同時に、部品数の低減により組立ての容易化、低コスト化を図ることができる。
【００３１】
また、本発明の車両輸送用冷凍ユニットは、上記の車両輸送用冷凍ユニットにおいて、前記第１の導風板と前記第２の導風板とが一体化された前記導風板には、前面に前方からの車両走行風を導入して前記放熱フィン方向に導く開口部が設けられていることを特徴とする。
【００３２】
本発明によれば、第１の導風板と第２の導風板とが一体化された導風板の前面に、前方からの車両走行風を導入して放熱フィン方向に導く開口部が設けられているため、第１の導風板と第２の導風板とを一体化したとしても、その前面に設けられている開口部を通して前方からの車両走行風を導入し、電装品収納箱の放熱フィン方向に導くことができる。従って、第１の導風板と第２の導風板との一体化が冷却性能の改善に影響を及ぼすことはなく、電装品収納箱に対する冷却性能の向上と部品数の低減による組立ての容易化、低コスト化を図ることができる。
【発明の効果】
【００３３】
本発明によると、電装品収納箱内に収納設置されているインバータやＡＣ／ＤＣ変換装置等の発熱部品を、凝縮器用ファンからの吹出し風や車両走行風が導かれる風路に面するように露出されている放熱フィンを介して、凝縮器用ファンからの吹出し風や車両走行風により強制冷却することができるため、冷凍車両の走行中または停車中に係わりなく、常に強制通風による電装品収納箱の高レベルの冷却効果を得ることができる。また、専用の冷却ファンを設ける必要がなく、しかも放熱フィンを小型化できることから、コストダウンやユニットの小型軽量化を図ることができる。更には、放熱フィンを備えた電装品収納箱が、冷凍庫の前面上方部に架装される冷凍ユニット本体の上面に配設されていることから、路面からの照り返しや隣に停車した車両からの排熱の影響を受けることがなく、強制冷却との相乗効果によって電装品収納箱の冷却性能を大幅に改善し、製品の信頼性を向上することができる。
【図面の簡単な説明】
【００３４】
【図１】本発明の第１実施形態に係る車両輸送用冷凍ユニットの架装状態を示す冷凍車両の前方部の側面図である。
【図２】図１に示す車両輸送用冷凍ユニットの正面図である。
【図３】図２に示す車両輸送用冷凍ユニットの平面図である。
【図４】図２に示す車両輸送用冷凍ユニットの側面図（Ａ）とその変形例の側面図（Ｂ）である。
【図５】本発明の第２実施形態に係る車両輸送用冷凍ユニットの正面図である。
【図６】本発明の第３実施形態に係る車両輸送用冷凍ユニットの正面図である。
【図７】図６に示す車両輸送用冷凍ユニットの側面図である。
【図８】図７に示す車両輸送用冷凍ユニットの導風板の変形例（Ａ），（Ｂ）を示す側面図である。
【図９】本発明の第４実施形態に係る車両輸送用冷凍ユニットの正面図である。
【図１０】図９に示す車両輸送用冷凍ユニットの側視図である。
【図１１】図１０に示す車両輸送用冷凍ユニットの導風板の変形例を示す側面図である。
【図１２】本発明の第５実施形態に係る車両輸送用冷凍ユニットの正面図である。
【図１３】図１２に示す車両輸送用冷凍ユニットの側面図である。
【図１４】図１３に示す車両輸送用冷凍ユニットの導風板の斜視図である。
【図１５】本発明の第６実施形態に係る車両輸送用冷凍ユニットの正面図である。
【図１６】図１５に示す車両輸送用冷凍ユニットの側面図である。
【図１７】本発明の第７実施形態に係る車両輸送用冷凍ユニットの正面図である。
【図１８】図１７に示す車両輸送用冷凍ユニットの側面図である。
【図１９】図１８に示す車両輸送用冷凍ユニットの導風板の斜視図である。
【図２０】本発明の第８実施形態に係る車両輸送用冷凍ユニットの側面図である。
【発明を実施するための形態】
【００３５】
以下に、本発明にかかる実施形態について、図面を参照して説明する。
［第１実施形態］
以下、本発明の第１実施形態について、図１ないし図４を用いて説明する。
図１には、本発明の第１実施形態に係る車両輸送用冷凍ユニットの架装状態を示す冷凍車両の前方部の側面図が示され、図２には、その車両輸送用冷凍ユニットの正面図、図３には、その平面図、図４には、その側面図（Ａ），（Ｂ）が示されている。
冷凍車両１は、後方のシャーシ上に冷凍庫２が搭載されており、冷凍・冷蔵品等の積荷を冷凍庫２に積んで輸送するものである。該冷凍車両１のキャビン１Ａの床下には、走行用のエンジン１Ｂが搭載されており、また、冷凍庫２の前面２Ａの上方部には、車両輸送用冷凍ユニット３（単に、冷凍ユニットということもある。）が架装されている。
【００３６】
車両輸送用冷凍ユニット３は、冷凍庫２の前面２Ａの上方部に設けられている幅方向の開口部に対して架装されており、後述する蒸発器ユニット８が冷凍庫２の庫内に臨んで配設され、冷凍庫２内の空気を吸込み、それを冷却して冷凍庫２内に吹出し、冷凍庫２内を設定された温度に冷却するものである。この車両輸送用冷凍ユニット３は、フレーム５および外装カバー６からなる冷凍ユニット本体４を備え、その内部に、電動圧縮機（図示省略）、凝縮器ユニット７、蒸発器ユニット８等が組み込まれることによって、一体型の車両輸送用冷凍ユニット３が構成されている。
【００３７】
冷凍ユニット本体４は、図２ないし図４に示されるように、冷凍庫２の前面２Ａの幅方向に沿う横長形状とされており、その底面側が、図１、図４に示されるように、キャビン１Ａが前方側に開閉される際、その障害とならないように、キャビン１Ａの回動軌跡に沿った傾斜面とされている。冷凍ユニット本体４内には、その前面に面して凝縮器ユニット７が配設されている。凝縮器ユニット７は、前面に面して配置された凝縮器９と、その後方に配置された、例えばプロペラファンからなる複数台（２台）の凝縮器用ファン１０とを備えている。
【００３８】
凝縮器ユニット７の下流側、すなわち後方側には、凝縮器用ファン１０から吹出される吹出し風の風路１１が形成され、該風路１１を介して凝縮器用ファン１０からの吹出し風が主に上方に、一部が下方に導風されるように構成されている。更に、この風路１１を隔てて凝縮器ユニット７の後方側には、蒸発器ユニット８が配設されている。蒸発器ユニット８は、風路１１の壁面となる断熱壁１２を介して設けられており、冷凍庫２内に連通される通風路を備え、その通風路中に図示省略の蒸発器および蒸発器用ファンが配置された構成とされている。
【００３９】
なお、上記電動圧縮機、凝縮器９、図示省略のレシーバ、膨張弁、蒸発器等を順次冷媒配管を介して接続することによって公知の冷凍サイクルが構成されている。これらの電動圧縮機、レシーバ、膨張弁等は、例えば凝縮器ユニット７および蒸発器ユニット８の側部等に配置することができる。
【００４０】
また、冷凍ユニット本体４の上面における蒸発器ユニット８の上方部位には、インバータ装置やＡＣ／ＤＣ変換装置（例えば、ダイオードを使った三相全波整流器）をはじめとする冷凍ユニット３のコントローラを構成する電装品が収納されている電装品収納箱１３が設置されている。この電装品収納箱１３は、蒸発器ユニット８の上方部位における幅方向の略中央部位において、凝縮器用ファン１０からの吹出し風を導風する風路１１に面するように配設されている。
【００４１】
上記電装品収納箱１３には、内部に内蔵されているインバータ装置やＡＣ／ＤＣ変換装置等を構成する発熱部品から放熱される熱を外気に放出するための放熱フィン１４が一体的に設けられている。電装品収納箱１３は、軽量で伝熱性の良いアルミ合金等の金属製板材１５をヒートシンクとしており、この金属製板材１５を介して密閉された構造とされている。放熱フィン１４は、金属製板材１５と一体に成形または組み立てられており、電装品収納箱１３の上面から外部、すなわち外気中に露出され、凝縮器用ファン１０からの吹出し風や車両走行風が流通されるように構成されている。
【００４２】
なお、上記の如く一体化された電装品収納箱１３および放熱フィン１４は、図４（Ａ）に示されるように、冷凍ユニット本体４の上面に対して略水平に配置されているが、図４（Ｂ）に示されるように、冷凍ユニット本体４の前面側に向って放熱フィン１４が前下がりとなるように傾斜配置した構成としてもよい。
【００４３】
斯くして、本実施形態によれば、以下の作用効果を奏する。
上記車両輸送用冷凍ユニット３は、走行用エンジン１Ｂにより駆動される発電機（図示省略）で発電された電力もしくは商用電源からの電力により、電装品収納箱１３内に収納されているインバータ装置やＡＣ／ＤＣ変換装置等を介して電動圧縮機が駆動されることによって運転される。これにより、蒸発器ユニット８で冷却された庫内空気が冷凍庫２内に吹出され、冷凍庫２内を設定温度に冷却することができる。
【００４４】
一方、電動圧縮機の駆動により、電装品収納箱１３内に収納されているインバータ装置やＡＣ／ＤＣ変換装置等を構成している発熱部品が発熱し、高温化される。これらの部品は熱的に保護する必要があり、該部品から放熱された熱を、電装品収納箱１３の一部をなすアルミ合金製板材（ヒートシンク）１５と一体に成形または組み立てられている放熱フィン１４を介して大気に放熱することにより、その温度を保護温度以下に抑制することができる。この電装品収納箱１３に一体に設けられている放熱フィン１４は、凝縮器用ファン１０からの吹出し風を冷凍ユニット本体４の上面に導風する風路１１に面して冷凍ユニット本体４の上面に外部に露出された状態で設けられている。
【００４５】
このため、電装品収納箱１３内に収納設置されているインバータやＡＣ／ＤＣ変換装置等の発熱部品を、凝縮器用ファン１０からの吹出し風や車両走行風が導かれる風路１１に面するように露出されている放熱フィン１４を介して、凝縮器用ファン１０からの吹出し風や車両走行風により強制冷却することができる。従って、冷凍車両１の走行中または停車中に係わりなく、常に強制通風による電装品収納箱１３の高レベルの冷却効果を得ることができる。
【００４６】
また、専用の冷却ファンを設ける必要がなく、しかも放熱フィン１４を小型化できることから、コストダウンやユニットの小型軽量化を図ることができる。更には、放熱フィン１４を備えた電装品収納箱１３が、冷凍庫２の前面上方部に架装される冷凍ユニット本体４の上面に配設されていることから、路面からの照り返しや隣に停車した車両からの排熱の影響を受けることがなく、強制冷却との相乗効果によって電装品収納箱１３の冷却性能を大幅に改善し、製品の信頼性を向上することができる。
【００４７】
さらに、本実施形態では、電装品収納箱１３が、冷凍ユニット本体４内の凝縮器９および凝縮器用ファン１０の後方側に配設されている蒸発器ユニット８の上方部位において、冷凍ユニット本体４の上面に配設された構成とされていることから、凝縮器用ファン１０から吹出された吹出し風をそのまま風路１１を介して冷凍ユニット本体４の上面側に導風し、該吹出し風を凝縮器用ファン１０の後方側に配設されている電装品収納箱１３の放熱フィン１４に直接流通させることができる。このため、凝縮器用ファン１０からの吹出し風により放熱フィン１４を介して効率よく電装品収納箱１３を冷却することができ、その冷却性能を大幅に向上することができる。
【００４８】
また、上記電装品収納箱１３は、放熱フィン１４がその上面から上向きに露出されるように冷凍ユニット本体４の上面に設置されているため、冷凍車両１が走行中には、放熱フィン１４に対して、凝縮器用ファン１０からの吹出し風のみならず、車両走行風が直接流通されるようになる。これによって、電装品収納箱１３に対する冷却効果を一層向上させることができ、放熱フィン１４の更なる小型軽量化を図ることができる。
【００４９】
また、電装品収納箱１３および放熱フィン１４を、図４（Ｂ）に示されるように、冷凍ユニット本体４の前面側に向って放熱フィン１４が前下がりとなるように傾斜配置した構成とすることによって、放熱フィン上に落ちる雨水やゴミ等を傾斜面に沿って速やかに排出することができる。このため、降雨時の排水性向上やゴミ等の堆積を防止して放熱性能を確保することができるとともに、車両走行時の走行風を整流し、空力性能を向上することによって車両の走行燃費の向上にも貢献することができる。
【００５０】
［第２実施形態］
次に、本発明の第２実施形態について、図５を用いて説明する。
本実施形態は、上記した第１実施形態に対して、電装品収納箱１３Ａおよび放熱フィン１４Ａの設置形態が異なっている。その他の点については、第１実施形態と同様であるので説明は省略する。
本実施形態では、冷凍ユニット本体４の上面に設置される電装品収納箱１３Ａおよび放熱フィン１４Ａについて、電装品収納箱１３Ａを上方側に配置し、その下面側に放熱フィン１４を下向きに露出させた状態で配設した構成としている。これによって、放熱フィン１４Ａは、電装品収納箱１３Ａの下面と冷凍ユニット本体４の上面との間の通風路に下向きに配設された構成とされている。
【００５１】
上記のように、本実施形態によれば、電装品収納箱１３Ａと一体をなす放熱フィン１４Ａが、電装品収納箱１３Ａの下面と冷凍ユニット本体４の上面との間に下向きに露出されるように、電装品収納箱１３Ａが冷凍ユニット本体４の上面に設置されているため、冷凍車両１が走行中には、放熱フィン１４に対して、凝縮器用ファン１０からの吹出し風のみならず、冷凍ユニット本体４の上面と電装品収納箱１３との間を通過する車両走行風が直接流通されるようになる。その結果、電装品収納箱１３に対する冷却効果を一層向上させることができ、放熱フィン１４の更なる小型軽量化を図ることが可能となり、上記第１実施形態と同様の効果を得ることができる。
【００５２】
［第３実施形態］
次に、本発明の第３実施形態について、図６ないし図８を用いて説明する。
本実施形態は、上記した第１および第２実施形態に対して、凝縮器用ファン１０からの吹出し風を導く導風板１６，１６Ａ，１６Ｂが設けられている点が異なる。その他の点については、第１および第２実施形態と同様であるので説明は省略する。
本実施形態では、凝縮器用ファン１０から風路１１に吹出された吹出し風を電装品収納箱１３，１３Ａの放熱フィン１４，１４Ａ方向に導風する第１の導風板（導風板）１６を設けた構成としている。この第１の導風板１６は、凝縮器用ファン１０のファンシュラウド１０Ａの上方外周部から斜め上方に向って突出され、風路１１に吹出された吹出し風を電装品収納箱１３，１３Ａと一体に設けられている放熱フィン１４，１４Ａの方向に指向するように設けられている。
【００５３】
なお、第１の導風板１６は、図７に示されるように、平板形状とされているが、このような形状に限られるものではなく、例えば、図８（Ａ）に示されるように、先端部分が放熱フィン１４，１４Ａの方向に水平に折り曲げられた形状の導風板１６Ａ、あるいは図８（Ｂ）に示されるように、放熱フィン１４，１４Ａの方向に向って滑らかな曲線を描くように湾曲された形状の導風板１６Ｂとしてもよい。
【００５４】
上記にように、風路１１に、凝縮器用ファン１０から吹出された吹出し風を電装品収納箱１３，１３Ａの放熱フィン１４，１４Ａ方向に導く第１の導風板１６，１６Ａ，１６Ｂを設けた構成とすることによって、凝縮器用ファン１０からの吹出し風を、風路１１に配設されている第１の導風板１６，１６Ａ，１６Ｂを介して効率的に電装品収納箱１３，１３Ａの放熱フィン１４，１４Ａ方向に導風することができる。従って、凝縮器用ファン１０からの吹出し風を有効活用して電装品収納箱１３，１３Ａを効率よく冷却することができ、電装品収納箱１３，１３Ａの冷却性能を大幅に改善することができる。
【００５５】
［第４実施形態］
次に、本発明の第４実施形態について、図９ないし図１１を用いて説明する。
本実施形態は、上記した第１および第２実施形態に対して、車両走行風を導く導風板１７，１７Ａを設けている点が異なる。その他の点については、第１および第２実施形態と同様であるので説明は省略する。
本実施形態では、冷凍車両１が走行することにより発生する車両走行風を電装品収納箱１３，１３Ａの放熱フィン１４，１４Ａ方向に導く第２の導風板（導風板）１７，１７Ａを設けた構成としている。この第２の導風板１７，１７Ａは、電装品収納箱１３，１３Ａに設けられている放熱フィン１４，１４Ａの上方部位から略水平方向前方に延在され、車両走行風を電装品収納箱１３，１３Ａと一体に設けられている放熱フィン１４，１４Ａの方向に指向するように設けられている。
【００５６】
つまり、第１実施形態に対応して、放熱フィン１４の上方部位に第２の導風板１７を設ける場合は、図１０に示されるように、放熱フィン１４の上面に水平に第２の導風板１７を設け、その前端部を水平方向前方に延在させた構成とし、第２実施形態に対応して、放熱フィン１４Ａの上方部位に第２の導風板１７Ａを設置する場合は、図１１に示されるように、放熱フィン１４Ａと一体に成形または組み立てられている金属製板材１５の前端部を水平方向前方に延在させた構成としている。
【００５７】
このように、電装品収納箱１３，１３Ａに一体に設けられている放熱フィン１４，１４Ａの上方部位から略水平前方に延在されている第２の導風板１７，１７Ａを設け、車両走行風を放熱フィン１４，１４Ａ方向に導くことにより、冷凍車両１の走行時に発生する車両走行風を、第２の導風板１７，１７Ａを介して電装品収納箱１３，１３Ａの放熱フィンフィン１４，１４Ａ方向に効率的に導風することができる。従って、車両走行風を有効に活用して電装品収納箱１３，１３Ａを効率よく冷却し、電装品収納箱１３，１３Ａの冷却性能を大幅に改善することができる。
【００５８】
［第５実施形態］
次に、本発明の第５実施形態について、図１２ないし図１４を用いて説明する。
本実施形態は、上記した第３実施形態に示された第１の導風板を変形した導風板１８を設けている点が異なる。その他の点については、第１ないし第３実施形態と同様であるので説明は省略する。
本実施形態では、凝縮器用ファン１０から風路１１に吹出された吹出し風を電装品収納箱１３，１３Ａの放熱フィン１４，１４Ａ方向に導風する第１の導風板（導風板）１８を設けた構成としている。この第１の導風板１８は、凝縮器用ファン１０のファンシュラウド１０Ａの上方外周部から斜め上方に向って突出されるとともに、その幅方向両端部に凝縮器用ファン１０からの吹出し風を電装品収納箱１３，１３Ａの放熱フィン１４，１４Ａ方向に指向させる絞り部１８Ａが設けられた構成とされている。
【００５９】
上記のように、第１の導風板１８の幅方向の両側部に、凝縮器用ファン１０からの吹出し風を電装品収納箱１３，１３Ａの放熱フィン１４，１４Ａ方向に指向させる絞り部１８Ａを設けることにより、凝縮器用ファン１０から吹出された吹出し風を、第１の導風板１８の幅方向の両側部に設けられている絞り部１８Ａを介して電装品収納箱１３，１３Ａの放熱フィン１４，１４Ａ方向に指向させ、効率的に導風することができる。従って、凝縮器用ファン１０からの吹出し風を有効に活用して電装品収納箱１３，１３Ａを効率よく冷却し、電装品収納箱１３，１３Ａの冷却性能を大幅に改善することができる。
【００６０】
［第６実施形態］
次に、本発明の第６実施形態について、図１５および図１６を用いて説明する。
本実施形態は、上記した第３実施形態に示された第１の導風板１６と、第４実施形態に示された第２の導風板１７とを併用している点が異なる。その他の点については、第１ないし第５実施形態と同様であるので説明は省略する。
本実施形態においては、図１５および図１６に示されるように、凝縮器用ファン１０のファンシュラウド１０Ａの上方外周部から斜め上方に向って突出され、風路１１に吹出された吹出し風を電装品収納箱１３，１３Ａの放熱フィン１４，１４Ａ方向に指向する第１の導風板１６（１６Ａ，１６Ｂ）を設けるとともに、電装品収納箱１３，１３Ａに設けられている放熱フィン１４，１４Ａの上方部位から略水平方向前方に延在され、車両走行風を電装品収納箱１３，１３Ａの放熱フィン１４，１４Ａ方向に指向する第２の導風板１７（１７Ａ）と、を併設した構成としている。
【００６１】
このように、第１の導風板１６（１６Ａ，１６Ｂ）と第２の導風板１７（１７Ａ）とを併設することにより、冷凍車両１が走行中には、電装品収納箱１３，１３Ａの放熱フィン１４，１４Ａに対して、凝縮器用ファン１０からの吹出し風のみならず、車両走行風をも流通させることができる。従って、凝縮器用ファン１０から吹出された吹出し風および／または車両走行風を有効に利用して電装品収納箱１３，１３Ａを効率よく冷却することができ、電装品収納箱１３，１３Ａの冷却性能を大幅に改善することができる。また、放熱フィン１４，１４Ａの更なる小型軽量化を図ることができる。
【００６２】
［第７実施形態］
次に、本発明の第７実施形態について、図１７ないし図１９を用いて説明する。
本実施形態は、上記した第３実施形態に示された第１の導風板１６と、第４実施形態に示された第２の導風板１７とを一体化した構成としている点が異なる。その他の点については、第１ないし第６実施形態と同様であるので説明は省略する。
本実施形態においては、図１７ないし図１９に示されるように、凝縮器用ファン１０のファンシュラウド１０Ａの上方外周部から斜め上方に向って突出され、風路１１に吹出された吹出し風を電装品収納箱１３，１３Ａの放熱フィン１４，１４Ａ方向に指向する第１の導風板１６（１６Ａ，１６Ｂ）と、電装品収納箱１３，１３Ａに設けられている放熱フィン１４，１４Ａの上方部位から水平方向前方に延在され、車両走行風を電装品収納箱１３，１３Ａの放熱フィン１４，１４Ａ方向に指向する第２の導風板１７（１７Ａ）と、が一体化されている導風板１９を設けた構成としている。
【００６３】
この一体化された導風板１９の前面に面している斜め上方に向って突出する部位の一部には、前方からの車両走行風を電装品収納箱１３，１３Ａの放熱フィン１４，１４Ａ方向に導風するための横長の開口部１９Ａが設けられている（図１９参照）。
【００６４】
上記のように、第１の導風板１６（１６Ａ，１６Ｂ）と、第２の導風板１７（１７Ａ）とを一体化し、その前面に面する部位の一部に、前方からの車両走行風を電装品収納箱１３，１３Ａの放熱フィン１４，１４Ａ方向に導風する開口部１９Ａを設けた構成とすることにより、１枚の導風板１９を設置するだけで、凝縮器用ファン１０からの吹出し風および車両走行風の双方を電装品収納箱１３，１３Ａの放熱フィン１４，１４Ａ方向に効率的に導風することができる。従って、凝縮器用ファン１０からの吹出し風および／または車両走行風を有効に活用して電装品収納箱１３，１３Ａを効率よく冷却することができ、電装品収納箱１３，１３Ａの冷却性能を大幅に改善することができると同時に、部品数の低減により組立ての容易化、低コスト化を図ることができる。
【００６５】
［第８実施形態］
次に、本発明の第８実施形態について、図２０を用いて説明する。
本実施形態は、上記した第２実施形態に対して、一体化された電装品収納箱１３Ａおよび放熱フィン１４Ａの一部を風路１１の上部に臨ませて配置している点が異なる。その他の点については、第１および第２実施形態と同様であるので説明は省略する。
上記第１ないし第７実施形態においては、電装品収納箱１３，１３Ａおよび放熱フィン１４，１４Ａを、風路１１の下流側で冷凍ユニット本体４の上面に配置した構成としているが、本実施形態では、図２０に示されるように、電装品収納箱１３Ａの下面側に下向きに露出された状態で配設されている放熱フィン１４Ａに対して、風路１１からの吹出し風を直接導入可能な構成としている。
【００６６】
つまり、電装品収納箱１３Ａの下面側に下向きに露出された状態で配設されている放熱フィン１４Ａが、凝縮器ユニット７と蒸発器ユニット８との間を跨ぐように、その一部が風路１１の上部を覆った状態に配置され、風路１１に吹出された吹出し風が直接放熱フィン１４Ａ間に導かれる構成とされている。なお、この場合、導風板は必ずしも必要としないが、凝縮器用ファン１０から風路１１の左右両側に吹出された吹出し風を中央部に導く導風板を風路１１の左右両側に設けてもよい。また、この場合も、放熱フィン１４Ａの前面側から走行風が導入可能とされていることが望ましいことは云うまでもない。
【００６７】
上記のように、電装品収納箱１３Ａの下面側に下向きに放熱フィン１４Ａを一体に配設している場合、風路１１の上部を覆うように放熱フィン１４Ａを対向して配置することにより、凝縮器用ファン１０からの吹出し風を直接放熱フィン１４Ａ間に取り込み、電装品収納箱１３Ａを効率よく冷却することができる。従って、電装品収納箱１３Ａの冷却性能を大幅に改善することができるとともに、放熱フィン１４Ａの更なる小型軽量化を図ることができる。
【００６８】
なお、本発明は、上記実施形態にかかる発明に限定されるものではなく、その要旨を逸脱しない範囲において、適宜変形が可能である。例えば、上記実施形態では、電装品収納箱１３，１３Ａを冷凍ユニット本体４の上面の幅方向中央部に設置した例について説明したが、電装品収納箱１３，１３Ａを２台設置されている凝縮器用ファン１０の一方の後方位置に偏らせて配置してもよい。
【符号の説明】
【００６９】
１  冷凍車両
２  冷凍庫
３  車両輸送用冷凍ユニット
４  冷凍ユニット本体
７  凝縮器ユニット
８  蒸発器ユニット
９  凝縮器
１０  凝縮器用ファン
１１  風路
１３，１３Ａ  電装品収納箱
１４，１４Ａ  放熱フィン
１６，１６Ａ，１６Ｂ，１８  第１の導風板（導風板）
１８Ａ  絞り部
１７，１７Ａ  第２の導風板（導風板）
１９  導風板
１９Ａ  開口部
【図１】
0005754917.tif 000002
【図２】
0005754917.tif 000003
【図３】
0005754917.tif 000004
【図４】
0005754917.tif 000005
【図５】
0005754917.tif 000006
【図６】
0005754917.tif 000007
【図７】
0005754917.tif 000008
【図８】
0005754917.tif 000009
【図９】
0005754917.tif 000010
【図１０】
0005754917.tif 000011
【図１１】
0005754917.tif 000012
【図１２】
0005754917.tif 000013
【図１３】
0005754917.tif 000014
【図１４】
0005754917.tif 000015
【図１５】
0005754917.tif 000016
【図１６】
0005754917.tif 000017
【図１７】
0005754917.tif 000018
【図１８】
0005754917.tif 000019
【図１９】
0005754917.tif 000020
【図２０】
0005754917.tif 000021